(57)【要約】【課題】  電源コード及び電源プラグを機械室のカバーに固定するため、冷蔵庫の製造工程の機械室のカバー取付けまでは、電源コード及び電源プラグを固定できず、製造ラインの作業に支障を生じるか、別途特別な固定方法を実施しなければならなかった。  また、冷蔵庫梱包時に、ダンボール梱包がやり難く、また、運搬中に電源プラグにダンボールが衝突したり、ダンボールを介して外部から衝撃を受け、変形、破損の恐れがあった。【解決手段】  本発明の冷蔵庫は、冷蔵庫本体の下部に圧縮機等を収容する機械室を備え、この機械室内の収容部品または該収容部品の取付部品等の内部部品に電源プラグまたは該電源プラグ近傍の電源コードを固定する電源コード先端部固定部を形成した。【選択図】図２
2006078114.tif 000002
【特許請求の範囲】
【請求項１】
冷蔵庫本体の下部に圧縮機等を収容する機械室を備えた冷蔵庫であって、
前記機械室内の収容部品または該収容部品の取付部品等の内部部品に電源プラグまたは該電源プラグ近傍の電源コードを固定する電源コード先端部固定部を形成したことを特徴とする冷蔵庫。
【請求項２】
前記機械室に圧縮機冷却ファンを収容し、
前記機械室内の前記内部部品が、前記圧縮機冷却ファンを支持するファン支持部品であり、
前記ファン支持部品に前記電源プラグまたは該電源プラグ近傍の前記電源コードを固定する前記電源コード先端部固定部を形成したことを特徴とする請求項１に記載の冷蔵庫。
【請求項３】
前記機械室に霜取水の蒸発皿を収容し、
前記機械室内の前記内部部品が、前記霜取水の蒸発皿であり、
前記霜取水の蒸発皿に前記電源プラグまたは該電源プラグ近傍の前記電源コードを固定する前記電源コード先端部固定部を形成したことを特徴とする請求項１に記載の冷蔵庫。
【請求項４】
前記電源コード先端部固定部を冷蔵庫本体の背面側で、コーナー部側に形成したことを特徴とする請求項１〜請求項３のいずれかの請求項に記載の冷蔵庫。
【請求項５】
前記機械室は、機械室カバーなしのものであり、
前記電源プラグ及び該電源プラグ近傍の電源コードを上下方向に配置し、前記電源プラグまたは該電源プラグ近傍の前記電源コードを前記電源コード先端部固定部に固定したことを特徴とする請求項１〜請求項４のいずれかの請求項に記載の冷蔵庫。
【発明の詳細な説明】
【技術分野】
【０００１】
本発明は、冷蔵庫の電源プラグの固定に関するものである。
【背景技術】
【０００２】
従来の冷蔵庫の電源コードの固定は、電源コードを冷蔵庫本体の下部に設けられた機械室のカバーに形成されたコード巻付部に巻付け、電源コードのプラグをカバーに形成されたプラグ挿入穴に挿入することにより行われていた（例えば、特許文献１参照）。
また、機械室カバーに巻取具及び固定穴を設け、巻取具に電源コードを巻き、固定穴に電源プラグの導電部（端子）を挿入係止させた（例えば、特許文献２参照）。
また、機械室の背面カバーに、背面カバーから突出する形状の２個の固定具を取付け、電源コードをこの固定具に掛け渡し、電源プラグを固定具に設けた電源プラグ保持部に保持させた（例えば、特許文献３参照）。
【特許文献１】特開昭６２−１９６６９号公報（第２頁、第３頁、図１、図３）
【特許文献２】実開昭６０−５９０７３号公報（第３頁、第４頁、第４図、第５図）
【特許文献３】特開平６−２５７９３４号公報（第３頁、図１、図２）
【発明の開示】
【発明が解決しようとする課題】
【０００３】
上記の特許文献の冷蔵庫においては、いずれも、電源コード及び電源プラグを機械室のカバーに固定していた。通常、冷蔵庫の製造においては、機械室のカバーは最終工程において取付ける。そのため、製造工程の機械室のカバー取付けまでは、電源コード及び電源プラグを固定できず、製造ラインの搬送コンベアや製造ラインの設備などに引っかかり冷蔵庫の転倒等製造作業に支障を生じた。または、別途特別な固定方法を実施しなければならなかった。
また、冷蔵庫梱包時に、電源コード及び電源プラグが機械室のカバーから外側に出るため、ダンボール梱包がやり難く、また、運搬中に電源プラグにダンボールが衝突したり、ダンボールを介して外部から衝撃を受け、変形、破損の恐れがあった。
また、機械室のカバーを設けない冷蔵庫では、固定ができなかった。
また、特許文献３の場合には、背面カバーに電源コードの巻取り及び電源プラグを保持する電源プラグ保持部を備えた専用の部品である固定具の追加が必要でありコストアップとなった。
【０００４】
本発明は、上記のような課題を解消するためになされたもので、冷蔵庫の製造工程で、電源プラグ及び電源コードが邪魔にならない冷蔵庫を提供することを目的とする。
また、ダンボール梱包が容易で、運搬中に電源プラグが外部からの衝撃の受け難い冷蔵庫を提供することを目的とする。
また、機械室のカバーの有り無しに関係なく、電源プラグの固定が可能な冷蔵庫を提供することを目的とする。
また、電源プラグの固定に、常設部品を利用し、特に複雑な専用の部品の追加が不要な冷蔵庫を提供することを目的とする。
【課題を解決するための手段】
【０００５】
本発明の冷蔵庫は、冷蔵庫本体の下部に圧縮機等を収容する機械室を備え、この機械室内の収容部品または該収容部品の取付部品等の内部部品に電源プラグまたは該電源プラグ近傍の電源コードを固定する電源コード先端部固定部を形成したものである。
【発明の効果】
【０００６】
本発明の冷蔵庫は、冷蔵庫下部の機械室内の収容部品または該収容部品の取付部品等の内部部品に電源プラグまたは該電源プラグ近傍の電源コードを固定する電源コード先端部固定部を形成したので、内部部品は主として工程の早い段階で設置されるため、早い工程段階から電源プラグの固定ができ、冷蔵庫の製造工程で、電源コード及び電源プラグが邪魔になるのを防止できる。また、機械室内の内部部品の電源コード先端部固定部に固定するので、冷蔵庫本体の梱包が容易であり、また、運搬時に電源プラグが外部からの衝撃を受け難い。
【発明を実施するための最良の形態】
【０００７】
実施の形態１．
図１は、本発明の実施の形態1の冷蔵庫の背面側から見た冷蔵庫本体の外観を示す斜視図であり、図２は、図１の冷蔵庫本体の機械室内の、電源プラグを固定する内部部品を示す部分斜視図であり、図３は、図１の冷蔵庫本体の機械室内の内部部品に形成した電源コード先端部固定部を示す部分斜視図であり、図４は、図１の冷蔵庫本体の機械室内の内部部品に形成した別の電源コード先端部固定部を示す部分斜視図である。
【０００８】
これらの図において、冷蔵庫本体２０は、周知のように外郭を形成する断熱性の外箱の中に冷蔵室、冷凍室等の複数の部屋が区画形成され、各部屋には冷却用の冷風が吹き込むようにされる。
また、冷蔵庫本体２０の外箱の背面には、上部から先端に電源プラグ１を有する電源コード２が導出されている。
また、冷蔵庫下部には、機械室３０が設けられおり、この機械室３０内には、図２に示すように、ファン支持部品５により支持、取付けられた圧縮機冷却ファン４、圧縮機６、樹脂製の霜取水の蒸発皿１１（後述の図８に示す）等が収容されている。そして、機械室３０は機械室カバー３で蓋がされる。
【０００９】
機械室３０内の内部部品であり、収容部品（圧縮機冷却ファン４）の取付部品であるファン支持部品５の外部側に面する部材に、図３に示すように、外側から挿入できるように電源プラグ１の端子を挿入する電源コード先端部固定部７である２個の端子挿入穴７aを形成する。
電源プラグ１は、電源プラグ１の端子をこの２個の端子挿入穴７aに挿入することにより、冷蔵庫本体２０に固定される。
なお、端子挿入穴７aの形成は、同じ部材の正面側でなく、側面側等でもよい。
【００１０】
また、電源コード先端部固定部７は、図３のように電源プラグ１を固定するのではなく、図４に示すように、電源プラグ１近傍の電源コード２を固定するようにしてもよい。図４の電源コード先端部固定部７は、ファン支持部品５の外部側に面する部材に形成した挟持部７ｂであり、電源プラグ１近傍の電源コード２を弾性的に挟持することにより、電源プラグ１を固定する。
ここで、電源プラグ１の固定には、機械室カバー３の有無は問わない。機械室カバー３が無くても固定できるし、有れば機械室カバー３を外して固定する。また、機械室カバー３を取付ける時、途中の電源コード２が邪魔な場合は、機械室カバー３に適宜切欠きを形成し、電源プラグ１の固定後の機械室カバー３の取付けを容易とする。
【００１１】
本冷蔵庫では、電源プラグ１または電源プラグ１近傍の電源コード２を固定する電源コード先端部固定部７を機械室３０内の内部部品である収容部品（圧縮機冷却ファン４）の取付部品（ファン支持部品５）に形成したので、内部部品は主として工程の早い段階で設置されることより、早い工程段階から電源プラグ１の固定ができ、冷蔵庫の製造工程で、電源プラグ１が邪魔にならないようにできる。その際、機械室カバー３の有無にかかわらず、電源プラグ１を冷蔵庫本体１に固定できる。
例えば、収容部品である圧縮機冷却ファン４は、駆動チェックの必要があるために、試験工程前の製造工程の比較的早い段階に組込まれる。これに伴い、圧縮機冷却ファン４の取付部品であるファン支持部品５も早い段階に組込まれる。そこで、ファン支持部品５に電源コード先端部固定部７である端子挿入穴７ａまたは挟持部７ｂを形成することにより、早い工程段階から電源プラグ１の固定ができ、冷蔵庫の製造過程で、電源プラグ１が邪魔にならないようにできる。
【００１２】
また、多くの場合、冷蔵庫の梱包は、図５に示すように、冷蔵庫本体１の上方から下方に向けて梱包用ダンボール箱８を挿入する方法を採用しているが、電源プラグ１を機械室カバー３の外面側に固定した場合、電源プラグ１が冷蔵庫本体２０の外箱の外面より外に出るため、梱包用ダンボール箱８を挿入時に、梱包用ダンボール箱８が電源プラグ１に引っ掛かり入れ難い、また、梱包後の運搬中に梱包用ダンボール箱８を介して、外部からの衝撃により、電源プラグ１が変形や破損の恐れがある。
本冷蔵庫では、電源プラグ１または電源プラグ１近傍の電源コード２を、機械室内の内部部品であり、収容部品の取付部品、例えば、ファン支持部品５に形成した電源コード先端部固定部７である、例えば、端子挿入穴７ａまたは挟持部７ｂに固定するので、冷蔵庫本体の梱包が容易であり、また、運搬時に電源プラグ１が外部からの衝撃を受け難い。
【００１３】
また、本冷蔵庫では、電源プラグ１または電源プラグ１近傍の電源コード２を、機械室内の内部部品であり、収容部品の取付部品、例えば、ファン支持部品５に形成した電源コード先端部固定部７である、例えば、端子挿入穴７ａまたは挟持部７ｂに固定するので、冷蔵庫の常設部品であるファン支持部品５に、端子挿入穴７ａまたは挟持部７ｂのような簡単な電源コード先端部固定部７を形成するだけでよく、複雑な固定部品の追加は必要がなく、ほとんどコストアップとはならない。
【００１４】
また、本冷蔵庫では、電源プラグ１または電源プラグ１近傍の電源コード２を機械室３０内の内部部品の電源コード先端部固定部７に固定するのに、機械室カバー３の取付けは必要ない。そこで、通常機械室カバー３の取付けは冷蔵庫製造の最終工程で行われることが多いため、機械室カバー３に固定部を取付けた場合は、電源コード２の固定は機械室カバー３の取付け後となるのに対して、本冷蔵庫においては、電源コード先端部固定部７を形成する機械室内の内部部品の取付は早い段階で行われるので、機械室カバー３の取付け工程の前に行われる冷媒ガス漏れ検査、圧縮機の異常音検査、起動性試験等の検査試験工程では、電源プラグ１の固定により、電源プラグ１が邪魔になることがない。
【００１５】
また、電源プラグ１または電源プラグ１近傍の電源コード２を機械室３０内の内部部品、例えば、ファン支持部品５の電源コード先端部固定部７に固定するのに、図６に示すように、電源プラグ１または電源プラグ１近傍の電源コード２を上下方向に配置して固定することにより、梱包用ダンボール箱８を挿入時に、電源プラグ１に梱包用ダンボール箱８が衝突しても、電源プラグ１または電源プラグ１近傍の電源コード２が抜けることにより衝撃を吸収し、電源プラグ１の破損を防ぐことができる。
【００１６】
また、電源プラグ１または電源プラグ１近傍の電源コード２を機械室３０内の内部部品、例えば、ファン支持部品５の電源コード先端部固定部７に固定するのに、電源コード先端部固定部７を図２に示すように、冷蔵庫本体２０の背面側で、コーナー部側に形成したことにより、冷蔵庫機械室３０内で、電源プラグ１及び電源コード２が邪魔にならない。また、コーナー部として、冷蔵庫機械室３０の吸排気用風路としてもよい。
【００１７】
なお、電源コード２の長さが長く、電源プラグ１または該電源プラグ１近傍の電源コード２を機械室３０内の内部部品に形成した電源コード先端部固定部７に固定したとき、電源コード２がたるむ場合は、たるみ部分を巻いてテープ等で止め、この巻き部を機械室３０内に入れ電源プラグ１または該電源プラグ１近傍の電源コード２を電源コード先端部固定部７に固定することにより、電源コード２が長い場合でも、電源プラグ１及び電源コード２の固定が可能であり、電源プラグ１及び電源コード２が邪魔になるのを防止できる。
また、電源プラグ１及び電源コード２を機械室３０から導出する場合も、前記の構成の電源コード先端部固定部７に固定でき、同様な効果を得ることができる。
【００１８】
実施の形態２．
本実施の形態の冷蔵庫は、実施の形態１の冷蔵庫において、機械室３０内の電源コード先端部固定部７を形成する内部部品を、ファン支持部品５の代りに機械室３０内の収容部品である霜取水の蒸発皿１１としたものである。その他の構造は、実施の形態１の冷蔵庫と同様である。そこで、得られる効果も、実施の形態１の冷蔵庫と同様である。
【図面の簡単な説明】
【００１９】
【図１】本発明の実施の形態1の冷蔵庫本体の背面側から見た外観を示す斜視図である。
【図２】図１の冷蔵庫本体の機械室内を示す部分斜視図である。
【図３】図１の冷蔵庫本体の機械室内の内部部品に形成した電源コード先端部固定部を示す部分斜視図である。
【図４】図１の冷蔵庫本体の機械室内の内部部品に形成した別の電源コード先端部固定部を示す部分斜視図である。
【図５】冷蔵庫を梱包用ダンボール箱で梱包することを説明する図である。
【図６】図１の冷蔵庫本体の機械室内の内部部品に形成した電源コード先端部固定部に電源プラグを固定する様子を説明する部分斜視図である。
【図７】本発明の実施の形態２の冷蔵庫本体の機械室内の電源コード先端部固定部を形成する内部部品を示す部分斜視図である。
【符号の説明】
【００２０】
１  電源プラグ、２  電源コード、４  圧縮機冷却ファン、５  ファン支持部品、６  圧縮機、７  電源コード先端部固定部、１１  蒸発皿、２０  冷蔵庫本体、３０  機械室。
【図１】
2006078114.tif 000003
【図２】
2006078114.tif 000004
【図３】
2006078114.tif 000005
【図４】
2006078114.tif 000006
【図５】
2006078114.tif 000007
【図６】
2006078114.tif 000008
【図７】
2006078114.tif 000009